(57)【要約】【課題】さほど大掛かりな設備を必要とせず、被介護者が安心してシャワーや入浴ができる介護に好適な設備を備えた建物を提供する。【解決手段】この建物１は、ベッド３と、浴槽４と、一対の脚部５ａ、５ａ’と一対の脚部５ａ、５ａ’の間を亘ってそれに固定される移送台部５ｂとを有し、脚部５ａ、５ａ’の高さを浴槽４の高さよりも高く、脚部５ａ、５ａ’の間隔を浴槽４の長さよりも長くしてなる移送車５と、浴槽４の上方の天井２Ｃに固定される基部６１とそれに含まれる駆動機構に連結されて昇降する昇降部６２とを有したリフト６と、を部屋２の中に備えてなる。【選択図】図１
2010253070.tif 000002
【特許請求の範囲】
【請求項１】
浴槽と、
一対の脚部と一対の脚部の間を亘ってそれに固定される移送台部とを有し、脚部の高さを浴槽の高さよりも高く、脚部の間隔を浴槽の長さよりも長くしてなる移送車と、
浴槽の上方に固定される基部とそれに含まれる駆動機構に連結されて昇降する昇降部とを有したリフトと、
を備えてなることを特徴とする建物。
【請求項２】
請求項１に記載された建物において、
被介護者のためのベッドを、更に備えてなることを特徴とする建物。
【請求項３】
請求項１又は２に記載された建物において、
前記移送車の移送台部は、幅方向に窪みが設けられ長さ方向に傾斜が付けられており、
便器と、移送車の一端から便器に至る排水路部材と、を更に備えていることを特徴とする建物。
【請求項４】
請求項１〜３のいずれか一項に記載された建物において、
前記リフトの昇降部は、棒状の剛体であることを特徴とする建物。
【発明の詳細な説明】
【技術分野】
【０００１】
本発明は、被介護者の介護に好適な設備を備えた建物に関する。
【背景技術】
【０００２】
従来より、高齢者、病人、身障者等の被介護者の介護に好適なように、入浴、トイレ、ストレス緩和などの面から色々と工夫された設備や建物が提案されている。本願発明者は、特許文献１、２において、表面が部屋の床材の表面と略面一となるように水平位置まで揺動可能な可動壁を有することで、被介護者のストレスを和らげ快適に生活できるような建物を提案している。
【０００３】
ところで、被介護者を介護する介護者の負担を軽減できるような入浴に関する設備については、特許文献３のようにベッドを浴槽として利用できるようにしたり、特許文献４のようにベッドから被介護者をリフトによって浴槽まで移送したりするものが提案されている。
【０００４】
更には、特許文献５のようにベッドから被介護者を移送車に乗せて移送するものも提案されている。特許文献５には、被介護者を横にしたままの状態で乗せて移送する移送車（ストレッチャ）であって、メッシュ状のマットが張設されたベッド部とそのマットの全面を覆う大きさの水受けを設けることにより、被介護者にシャワーを浴びさせることができ、ベッド部の両脇の前後にフックを設けることにより、ベッド部だけをリフトにより浴槽内に移送して、被介護者を入浴させることができるものが記載されている。
【先行技術文献】
【特許文献】
【０００５】
【特許文献１】特許第３９８９５２０号公報
【特許文献２】特許第３９１７１６６号公報
【特許文献３】特開平５−７６０７号公報
【特許文献４】実開平５−１１９３２号公報
【特許文献５】特開平８−２４３１４０号公報
【発明の概要】
【発明が解決しようとする課題】
【０００６】
しかし、特許文献３のような浴槽機能付きベッドは、その周りに給水、排水及び防水の設備を設けて、ベッド自体も特別な構造にする必要がある。特許文献４のようにベッドからの移送用のリフトを用いるものは、元々設備が非常に大掛かりになる上に、移送途中に揺れが生じ易い。このような揺れは、衝突を引き起こしたり被介護者が不安を感じたりする原因となり得る。
【０００７】
これらに対して、特許文献５のように移送車を用いるものは、さほど大掛かりな設備ではない。ところが、特許文献５では、入浴のための浴槽内への移送には特許文献４と同様な移送用のリフトを用いなければならず、同様の課題が残る。また、ベッド部の大きさに合わせた特別な浴槽も必要である。
【０００８】
本発明は係る事由に鑑みてなされたものであり、その目的は、さほど大掛かりな設備を必要とせず、被介護者が安心してシャワーや入浴ができる介護に好適な設備を備えた建物を提供することにある。
【課題を解決するための手段】
【０００９】
上記目的を達成するために、請求項１に記載の建物は、浴槽と、一対の脚部と一対の脚部の間を亘ってそれに固定される移送台部とを有し、脚部の高さを浴槽の高さよりも高く、脚部の間隔を浴槽の長さよりも長くしてなる移送車と、浴槽の上方に固定される基部とそれに含まれる駆動機構に連結されて昇降する昇降部とを有したリフトと、を備えてなることを特徴とする。
【００１０】
請求項２に記載の建物は、請求項１に記載された建物において、被介護者のためのベッドを、更に備えてなることを特徴とする。
【００１１】
請求項３に記載の建物は、請求項１又は２に記載された建物において、前記移送車の移送台部は、幅方向に窪みが設けられ長さ方向に傾斜が付けられており、便器と、移送車の一端から便器に至る排水路部材と、を更に備えていることを特徴とする。
【００１２】
請求項４に記載の建物は、請求項１〜３のいずれか一項に記載された建物において、前記リフトの昇降部は、棒状の剛体であることを特徴とする。
【発明の効果】
【００１３】
本発明に係る建物によれば、シャワーを浴槽上に移動させた移送車上で行い、浴槽の上方に基部が固定されたリフトで吊り上げて浴槽内に降ろすようにして入浴させられるので、被介護者が安心してシャワーや入浴が可能な上に、さほど大掛かりな設備を必要としない。
【図面の簡単な説明】
【００１４】
【図１】本発明の実施形態に係る建物１の部屋２の中の設備を示すもので、移送車５がベッド３と浴槽４の間に位置している状態の斜視図である。
【図２】同上の部屋２の中の側面（壁２Ｗ側）を示すもので、移送車５が浴槽４上に位置している状態の斜視図である。
【図３】図２と同じ状態の側面図である（フード４０や防水用カーテン４２は省略している）。
【図４】同上の排水路部材８を用いた状態を示すもので、（ａ）は拡大斜視図、（ｂ）は拡大側面図である。
【図５】同上の吊り部材６０を用いた状態を示す斜視図である。
【発明を実施するための形態】
【００１５】
以下、本発明を実施するための好ましい形態を図面を参照しながら説明する。本発明の実施形態に係る建物１は、図１、図２及び図３に示すように、被介護者の介護に好適な部屋２を有している。その部屋２の中には、設備として、被介護者のためのベッド３と、浴槽４と、ベッド３と浴槽４の間の被介護者移送のために移動可能な移送車５と、浴槽４の上方の天井２Ｃから吊り下げられたリフト６と、を備えている。また、好ましくは、この部屋２の中には、便器７や手洗器（図示せず）なども備える。更にまた、好ましくは、この部屋２は、特許文献１、２に記載のような表面が部屋２の床面２Ｆと略面一となるように水平位置まで揺動可能な可動壁を有する。なお、建物は、戸建住宅、介護施設、市場において流通販売される組立家屋などを含む概念である。
【００１６】
ベッド３は、介護のために好適なものであればよいが、後述する移送車５の移送台部５ｂの上に被介護者を移動するのに適した高さのものが好ましい。なお、ベッド３は、建物１に設備として元々備えている必要はなく、後から居住者が設置するようにしてもよい。
【００１７】
浴槽４は、床面２Ｆから所要の高さＨ４、長さＬ４及び幅Ｗ４を有する通常のもので構わない（図１及び図３参照）。床面２Ｆの浴槽４を据える部分２Ｆａは、適宜排水溝を設けて浴室用タイルなどを敷設する。好ましくは、浴槽４の上方にフード４０を設けて浴槽４を覆う。フード４０には、カーテンレール４１を取り付けて浴槽４を防水用カーテン４２で囲えるようにし、換気扇４３を取り付ける。なお、図の４０Ａはフード４０を天井２Ｃから支えるための支持棒体である。
【００１８】
移送車５は、一対の脚部５ａ、５ａ’と一対の脚部５ａ、５ａ’の間を亘る移送台部５ｂを有している。脚部５ａ（又は５ａ’）は、形状や構造が限定されることはないが、例えば金属製パイプを組み合わせたものであって、上水平片５ａａと下水平片５ａｂとこれらを連結する連結鉛直片５ａｃにて略コ字状をなし、上下水平片５ａａ、５ａｂの中間付近で補強鉛直片５ａｄにて補強した形状とし、下水平片５ａｂの端部近傍の下側にキャスター５ａｅ、５ａｆを取り付けている。移送台部５ｂは、一対の脚部５ａ、５ａ’を覆う長さを有する長方形状をなして一対の脚部５ａ、５ａ’の上側に一体形成又はそれに固定される。脚部５ａ（又は５ａ’）の高さＨ５、詳しくは移送台部５ｂの下方面の高さは、浴槽４の高さＨ４よりも高く、脚部５ａ、５ａ’の間隔Ｌ５、詳しくは浴槽４の高さＨ４までで脚部５ａ、５ａ’の間の最短距離は、浴槽４の長さＬ４よりも長い（図１及び図３参照）。従って、図２及び図３に示すように、浴槽４を跨いで移送車５を配置することができ、リフト６の直下に被介護者を位置させることができるようになる。なお、図２及び図３に示すように、ベッド３と浴槽４の間の床面２Ｆにガイドレール２Ｆｂを設け、脚部５ａ、５ａ’の片方（好ましくは壁に近い方の脚部５ａ’）のキャスター５ａｅ、５ａｆがガイドレール２Ｆｂに嵌るようにすると、安全にかつ容易に移送車５を所定の位置に移動させることができる。
【００１９】
移送車５の移送台部５ｂは、幅方向（Ｗ５方向）に若干の窪みを設け長さ方向（Ｌ５方向）に若干の傾斜を付けることで、その上で被介護者にシャワーをかけたときの排水を足下となる一端から落とすことも可能である。更に、図４に示すように、移送台部５ｂの一端から便器７に至る排水路部材（例えば、ホース型部材）８を嵌め合わせるなどして移送台部５ｂに取り付けて便器７に流してもよい。
【００２０】
リフト６は、基部６１、昇降部６２、ハンガー部６３、フック部６４を有している。基部６１は、昇降部６２を駆動する駆動機構を含んで（内蔵して）天井２Ｃに固定されている。基部６１は、天井２Ｃから露出してもよいし、天井２Ｃ裏に据えられていてもよい。また、基部６１は、フード４０が十分な物理的強度を有していればそれに固定することも可能である。昇降部６２は、上記駆動機構に連結された棒状、チェーン状、又は帯状のものであって、基部６１の下方でフード４０の貫通孔を通過して昇降（上下動）する。昇降部６２は、棒状の剛体（剛性の大きいもの）であると根本的に揺れを防げるが、昇降するだけなのでチェーン状又は帯状の柔軟なものであっても大きく揺れることは通常の場合ない。昇降部６２が棒状の剛体の場合は、それにねじ山を形成して基部６１の駆動機構により昇降させればよいし、チェーン状又は帯状の柔軟なものの場合は、それを基部６１の駆動機構で巻き取れるようにして昇降させればよい。そして、昇降部６２の先端に、略水平方向に延伸するハンガー６３の中心部が取り付けられ（図１参照）、その両端部には、図５に示すようにして被介護者を吊るための吊り部材６０を掛けるフック６４、６４が設けられている。また、昇降部６２の昇降をオン・オフ制御する制御スイッチ６５が壁２Ｗなどに設けられている。
【００２１】
このような設備は、被介護者がシャワーを浴び、入浴する場合、以下のように用いる。まず、ベッド３に横たわっている被介護者を移送車５の移送台部５ｂに移す。このとき、ある程度柔らかい素材の吊り部材６０を移送台部５ｂに予め敷いておくのが好ましい方法である。被介護者を乗せた移送車５を移動し、移送車５が浴槽４を跨ぐように配置する。移送車５上の被介護者にシャワーをかけて洗う。そして、きれいになった被介護者の下に敷き入れてある吊り部材６０をリフト６のフック６４、６４に掛ける。制御スイッチ６５により、昇降部６２を上昇させて、被介護者を吊り上げる。この状態で移送車５を浴槽４の上から移動させ、その後昇降部６２を下降させて、被介護者を浴槽４の中に位置させて入浴させる。
【００２２】
このように、リフト６は浴槽４の上方に基部６１が固定されており、被介護者を覆う吊り部材６０が揺れることが抑制されるので、何かに衝突することもなく、被介護者のリフトへの不安を取り除くことが可能である。また、さほど大掛かりな設備でない移送車５とリフト６により、十分に被介護者のシャワーと入浴を行うことができる。また、そのために必要とするスペースは、浴槽４の大きさと同程度で済むので、部屋２がそれほど広くなくてもよい。
【００２３】
被介護者を入浴させているときは、窓などを開放して部屋２を清掃するのが好ましい。特に、部屋２が上記の可動壁を有していると、可動壁を水平位置にして一気に換気しながら清掃することが可能であり、また、キャスター付きのベッドならば、ベッド３を水平位置にした可動壁の上に移動させることにより、汚れ易いベッド３自体や床面２Ｆのベッド３の下の部分を清掃し易くなる。なお、図１に示すように、可動壁に向かうガイドレール２Ｆｃを床面２Ｆに設けると、安全にキャスター付きのベッドを移動させることができる。
【００２４】
以上、本発明の実施形態に係る建物について説明したが、本発明は、実施形態に記載したものに限られることなく、特許請求の範囲に記載した事項の範囲内でのさまざまな設計変更が可能である。例えば、当分の間使用しないのならば、浴槽４をその場所の床下に収納できるようにしたり、移送車５を折りたたんで収納できるようにしたり、リフト６や便器７などを取り外して収納できるようにしたりすることも可能である。
【符号の説明】
【００２５】
１    建物
２    部屋
２Ｃ  部屋の天井
３    ベッド
４    浴槽
５    移送車
５ａ、５ａ’  移送車の脚部
５ｂ  移送車の移送台部
６    リフト
６１  リフトの基部
６２  リフトの昇降部
７    便器
８    排水路部材
【図１】
2010253070.tif 000003
【図２】
2010253070.tif 000004
【図３】
2010253070.tif 000005
【図４】
2010253070.tif 000006
【図５】
2010253070.tif 000007
【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
被介護者のためのベッドと、
被介護者が入浴し被介護者の丈方向が長さ方向になる浴槽と、
一対の脚部と、ベッドに横たわっている被介護者を移して被介護者の丈方向が長さ方向になるように上に乗せる長方形状のものであって、一対の脚部の間を亘って一対の脚部の上側に固定される移送台部と、を有し、前記一対の脚部の高さを浴槽の高さよりも高く、前記一対の脚部の長さ方向の間隔を浴槽の長さ方向の長さよりも長くしてなり、浴槽を跨いで配置して移送台部の上の被介護者にシャワーをかけて洗う移送車と、
浴槽の上方の天井又はフードに位置固定されるものであって、天井又はフードの下方で昇降する棒状、チェーン状又は帯状の昇降部を有し、移送台部の上の被介護者を吊り部材を用いて吊り上げるリフトと、
を備えてなることを特徴とする建物。
【請求項２】
請求項１に記載された建物において、
前記浴槽と前記ベッドの間の床面に前記脚部の片方のキャスターが嵌るようなガイドレールを設けたことを特徴とする建物。
【請求項３】
請求項１又は２に記載された建物において、
前記移送車の移送台部は、被介護者にシャワーをかけたときの排水を足下となる一端から落とすことができるよう幅方向に窪みが設けられ長さ方向に傾斜が付けられており、
便器と、前記一端から落とした排水を便器に流すよう移送車の一端から便器に至る排水路部材と、を更に備えていることを特徴とする建物。
【請求項４】
請求項１〜３のいずれか一項に記載された建物において、
前記リフトの昇降部は、棒状の剛体であることを特徴とする建物。
【手続補正２】
【補正対象書類名】明細書
【補正対象項目名】０００９
【補正方法】変更
【補正の内容】
【０００９】
上記目的を達成するために、請求項１に記載の建物は、被介護者のためのベッドと、被介護者が入浴し被介護者の丈方向が長さ方向になる浴槽と、一対の脚部と、ベッドに横たわっている被介護者を移して被介護者の丈方向が長さ方向になるように上に乗せる長方形状のものであって、一対の脚部の間を亘って一対の脚部の上側に固定される移送台部と、を有し、前記一対の脚部の高さを浴槽の高さよりも高く、前記一対の脚部の長さ方向の間隔を浴槽の長さ方向の長さよりも長くしてなり、浴槽を跨いで配置して移送台部の上の被介護者にシャワーをかけて洗う移送車と、浴槽の上方の天井又はフードに位置固定されるものであって、天井又はフードの下方で昇降する棒状、チェーン状又は帯状の昇降部を有し、移送台部の上の被介護者を吊り部材を用いて吊り上げるリフトと、を備えてなることを特徴とする。
【手続補正３】
【補正対象書類名】明細書
【補正対象項目名】００１０
【補正方法】変更
【補正の内容】
【００１０】
請求項２に記載の建物は、請求項１に記載された建物において、前記浴槽と前記ベッドの間の床面に前記脚部の片方のキャスターが嵌るようなガイドレールを設けたことを特徴とする。
【手続補正４】
【補正対象書類名】明細書
【補正対象項目名】００１１
【補正方法】変更
【補正の内容】
【００１１】
請求項３に記載の建物は、請求項１又は２に記載された建物において、前記移送車の移送台部は、被介護者にシャワーをかけたときの排水を足下となる一端から落とすことができるよう幅方向に窪みが設けられ長さ方向に傾斜が付けられており、便器と、前記一端から落とした排水を便器に流すよう移送車の一端から便器に至る排水路部材と、を更に備えていることを特徴とする。